(57)【特許請求の範囲】
【請求項１】
熱源機から循環配管を通して温水端末機の熱交換器へ温水を供給して放熱させる温水利用システムであって、
循環配管は、熱源機から温水端末機へ温水を送る往き配管と、温水端末機から熱源機へ温水を戻す戻り配管とを有し、
温水端末機において入水側の循環配管接続部に戻り配管が接続され、出水側の循環配管接続部に往き配管が接続された逆接続状態を判定する接続判定手段を備え、
接続判定手段は、温水端末機における入水側の循環配管接続部から熱交換器へ延びる入水管路内の湯温が判定基準温度よりも低い温度状態を一定時間以上継続する場合に上記逆接続状態であると判定し、上記判定基準温度を熱源機において温水の供給温度を一定範囲内に保つために設定された温調温度に基づいて設定するようにし、
上記判定基準温度は、温水温度を上げるために熱源機の加熱量を増加させるときの下限温調温度よりも低い温度とする温水利用システム。
【請求項２】
熱源機から循環配管を通じて温水端末機の熱交換器へ温水を供給して放熱させる温水利用システムであって、
循環配管は、熱源機から温水端末機へ温水を送る往き配管と、温水端末機から熱源機へ温水を戻す戻り配管とを有し、
温水端末機は、熱交換器から放出される熱を機外へ送り出す循環ファンを備え、
温水端末機において入水側の循環配管接続部に戻り配管が接続され、出水側の循環配管接続部に往き配管が接続された逆接続状態を判定する接続判定手段を備え、
接続判定手段は、熱源機において温水の供給温度を一定範囲内に保つために設定された温調温度に基づいて判定基準温度を設定するとともに、循環ファンを作動させてから一定時間経過後の外気温が低い温度であればあるほど大きい温度幅値の逆接続判定値を設定し、循環ファン作動状態での入水管路内の湯温における上記判定基準温度からの温度低下幅が上記逆接続判定値以上であった場合に逆接続状態であると判定し、
上記判定基準温度は、温水温度を上げるために熱源機の加熱量を増加させるときの下限温調温度よりも低い温度とする温水利用システム。
【請求項３】
請求項１又は２に記載の温水利用システムにおいて、
上記接続判定手段は、温水端末機と熱源機との相互通信から熱源機における温調温度を取得する温水利用システム。
【発明の詳細な説明】
【技術分野】
【０００１】
本発明は、室内の暖房や乾燥等を行う温水端末機の熱交換器へ熱源機から温水を供給して放熱させる温水利用システムであって、熱源機と温水端末機との間の循環配管の逆接続を検知する接続判定手段を備えた温水利用システムに関する。
【背景技術】
【０００２】
温水利用システムは、一般的には温水端末機の熱交換器内に温水を一方向へ流通させているため、熱源機と温水端末機との間の循環配管が逆接続されると、熱交換器内の温水の流れが逆向きとなり放熱効率が低下する。そこで、従来、温水利用システムでは、温水端末機における入水管路内の湯温が基準温度よりも低い状態を一定時間以上継続した場合に循環配管が逆接続状態であると判定する判定手段を設けている（特許文献１）。ここで判定手段における基準温度は、循環配管の正接続状態における入水管路内の湯温に基づいて設定された値である。
【先行技術文献】
【特許文献】
【０００３】
【特許文献１】特開２００９−１９８４５号公報
【発明の概要】
【発明が解決しようとする課題】
【０００４】
ところで、熱源機では、温水への加熱量を増加又は減少したり加熱を停止又は再開する温調動作を行って熱源機から出湯する温水の温度が所定の出湯温度に保持されるようにしている。この熱源機の温調動作の影響を受け、温水端末機に流入する温水が高温状態であったり低温状態であったりすることがある。そのため、上記判定手段では、熱源機の温調動作時に入水管路内の湯温が温度変化して循環配管の接続状態を正しく判定できないおそれがあった。例えば、循環配管が正常に接続された正接続のときに、熱源機の温調動作により入水管路内の湯温が基準温度よりも低い温度状態となり逆接続状態と誤判定してしまうおそれがあった。
【０００５】
本発明の目的は、以上の事情に鑑み、熱源機の温調動作による温度変化の影響を考慮して循環配管の逆接続判定の精度を高めた温水利用システムを提供することにある。
【課題を解決するための手段】
【０００６】
本発明に係る温水利用システムは、
熱源機から循環配管を通して温水端末機の熱交換器へ温水を供給して放熱させる温水利用システムであって、
循環配管は、熱源機から温水端末機へ温水を送る往き配管と、温水端末機から熱源機へ温水を戻す戻り配管とを有し、
温水端末機において入水側の循環配管接続部に戻り配管が接続され、出水側の循環配管接続部に往き配管が接続された逆接続状態を判定する接続判定手段を備え、
接続判定手段は、温水端末機における入水側の循環配管接続部から熱交換器へ延びる入水管路内の湯温が判定基準温度よりも低い温度状態を一定時間以上継続する場合に上記逆接続状態であると判定し、上記判定基準温度を熱源機において温水の供給温度を一定範囲内に保つために設定された温調温度に基づいて設定するようにし、
上記判定基準温度は、温水温度を上げるために熱源機の加熱量を増加させるときの下限温調温度よりも低い温度とするものである。
上記構成より、判定基準温度を熱源機における温調温度に基づいて設定するので、熱源機の温調動作により温水端末機へ供給される温水が温度変化しても、循環配管の逆接続状態を正しく判定することができる。
すなわち、循環配管が正接続のときは、熱源機から供給される温水が温水端末機の熱交換器内へ流れ込む前に入水管路内を流れるため、熱源機から供給される温水の温度がほぼ入水管路内の湯温として検出される。上記構成より、判定基準温度が熱源機の温調温度における下限温調温度よりも低い温度に設定されることで、循環配管が正接続のとき、温水端末機へ供給される温水が熱源機の温調動作により低温状態にあった場合でも入水管路内の湯温が判定基準温度よりも低い温度状態を継続することがない。よって、温水端末機へ供給される温水が熱源機の温調動作による温度変化の影響を受けても、循環配管の正接続を逆接続と誤判定することが防止される。循環配管が逆接続のときは、熱源機の温調動作により低温状態にある温水は、さらに熱交換器内で放熱された後に入水管路内を流れるため、入水管路内の湯温が判定基準温度よりも低い温度状態を継続することとなり、循環配管の逆接続状態を正しく判定することができる。
【０００７】
また、本発明に係る温水利用システムは、
熱源機から循環配管を通じて温水端末機の熱交換器へ温水を供給して放熱させる温水利用システムであって、
循環配管は、熱源機から温水端末機へ温水を送る往き配管と、温水端末機から熱源機へ温水を戻す戻り配管とを有し、
温水端末機は、熱交換器から放出される熱を機外へ送り出す循環ファンを備え、
温水端末機において入水側の循環配管接続部に戻り配管が接続され、出水側の循環配管接続部に往き配管が接続された逆接続状態を判定する接続判定手段を備え、
接続判定手段は、熱源機において温水の供給温度を一定範囲内に保つために設定された温調温度に基づいて判定基準温度を設定するとともに、循環ファンを作動させてから一定時間経過後の外気温が低い温度であればあるほど大きい温度幅値の逆接続判定値を設定し、循環ファン作動状態での入水管路内の湯温における上記判定基準温度からの温度低下幅が上記逆接続判定値以上であった場合に逆接続状態であると判定し、
上記判定基準温度は、温水温度を上げるために熱源機の加熱量を増加させるときの下限温調温度よりも低い温度とするものである。
【０００８】
ところで、外気温が低いときには入水管路内の湯温が温度低下することが考えられ得る。そのため、外気温が低いときは、判定基準温度を熱源機における温調温度に基づいて設定した場合でも、循環配管が正接続のときに入水管路内の湯温が判定基準温度よりも低い温度状態となるおそれがある。
そこで、上記構成であれば、外気温が低い場合でも、循環配管の正接続のときは、上記判定基準温度からの入水管路内の湯温の温度低下幅が上記逆接続判定値内となり、循環配管の正接続を逆接続と誤判定することが防止される。
【００１１】
上記接続判定手段は、温水端末機と熱源機との相互通信から熱源機における温調温度を取得することができる。
これにより、設置された熱源機がどのような温調温度の設定となっているのか容易に且つ正確に知ることができ、熱源機のタイプ毎の温調温度に見合った判定基準温度を設定することができる。
【発明の効果】
【００１２】
以上のように、本発明によれば、熱源機の温調動作による温度変化の影響を受け難くすることができるから、循環配管の逆接続判定の精度を高めることができる。
【図面の簡単な説明】
【００１３】
【図１】温水利用システムの全体構成を示す模式図である。
【図２】熱源機の温調動作による出湯温度の温度変化の様子を強調的に示す模式図である。
【図３】実施形態における循環配管の接続判定処理の動作を示すフローチャートである。
【図４】他の実施形態における循環配管の接続判定処理の動作を示すフローチャートである。
【発明を実施するための形態】
【００１４】
以下に、本発明の実施形態について添付図面を参照しながら説明する。
図１に示すように、温水利用システム５は、温水を加熱生成する熱源機２と、温水の熱を温風として放出して暖房や乾燥を行う浴室暖房乾燥機（温水端末機）１とを往き側の循環配管（以下、「往き配管」という）２１及び戻り側の循環配管（以下、「戻り配管」という）２２で接続し、熱源機２の吸熱熱交換器２４内で生成された温水を往き配管２１を通して浴室暖房乾燥機１へ供給し、浴室暖房乾燥機１の放熱熱交換器１４で放熱された後に戻り配管２２から再び熱源機２へ戻す温水循環動作を行う。
【００１５】
熱源機２は、図示しないガス配管から供給されるガスを燃焼させるバーナ２３と、ガスの燃焼熱を回収する吸熱熱交換器２４と、バーナ２３へのガス供給量を調整するガス量調整弁２５と、吸熱熱交換器２４内で加熱生成された温水を往き配管２１側へ送り出して浴室暖房乾燥機１との間で循環させる循環ポンプ２６と、熱源機２全体の動作を制御する熱源制御部２９とを備えている。
【００１６】
熱源制御部２９は、信号線Ｌを通じて浴室暖房乾燥機１の端末制御部１９に接続されており、浴室暖房乾燥機１からの出湯指示を受けると、循環ポンプ２６を作動させると共にバーナ２３を燃焼させて循環配管２１，２２を通じて温水を浴室暖房乾燥機１へ循環供給する出湯動作を行う。また、熱源制御部２９は、吸熱熱交換器２４の出口温度を検知する出湯温センサ２７の検知温度が予め設定された出湯温度ＴＨｓに保たれるようにガス量調整弁２５の開度を調整しバーナ２３での加熱量を増加又は減少する温調動作を行っている。この温調動作の実行のため、熱源制御部２９には、出湯温度ＴＨｓと、出湯温度ＴＨｓに応じた温度幅を規定する温調温度ＴＨｃとが設定されている。また、上記温調動作には、例えば、暖房負荷が小さいため（室温が高い場合や暖房設定温度が低い場合など）、バーナ２３での加熱量を最小にしても室温が暖房設定温度を超える場合にバーナ燃焼を停止させたりバーナ燃焼を再開させるような温調動作も含む。
【００１７】
温調温度ＴＨｃは、出湯温度ＴＨｓよりも高い温度の上限温調温度ＴＨｏｆｆと、出湯温度ＴＨｓよりも低い温度の下限温調温度ＴＨｏｎとを有する。すなわち、上限温調温度ＴＨｏｆｆは、吸熱熱交換器２４から出湯する温水の温度（出湯温センサ２７の検知温度）が設定された出湯温度ＴＨｓよりも高くなっているためバーナ２３の加熱量を減少させるときの温度であり、下限温調温度ＴＨｏｎは、吸熱熱交換器２４から出湯する温水の温度（出湯温センサ２７の検知温度）が設定された出湯温度ＴＨｓよりも低くなっているためバーナ２３の加熱量を増加させるときの温度である。つまり、図２に示すように、熱源機２において、出湯温センサ２７の検知温度が出湯温度ＴＨｓ（例えば、８０℃）よりも高い上限温調温度ＴＨｏｆｆ（例えば、９２℃）に達するとバーナ２３の加熱量を減少させ、出湯温センサ２７の検知温度が出湯温度ＴＨｓよりも低い下限温調温度ＴＨｏｎ（例えば、６８℃）に達するとバーナ２３の加熱量を増加させるという温調動作を行うことで、総じて熱源機２から出湯する温水の温度が出湯温度ＴＨｓに保たれる。また、例えば、暖房負荷が小さいとき等の場合は、室温（室温センサ１８の検知温度）が暖房設定温度（コントローラ３で設定された暖房設定温度）を一定以上超えるとバーナ２３を消火してバーナ２３の加熱を停止し、出湯温センサ２７の検知温度が下限温調温度ＴＨｏｎになるとバーナ２３を点火してバーナ２３による加熱を再開させるオンオフ制御による温調動作を行う。
【００１８】
浴室暖房乾燥機１のケーシング１０には、入水側の循環配管接続部（以下、「入水側接続部」という）１１と、出水側の循環配管接続部（以下、「出水側接続部」という）１２とが設けられており、この入水側接続部１１に往き配管２１が接続され、出湯側接続部１２に戻り配管２２が接続される。ケーシング１０内には、熱源機２から供給される温水の熱を放出する放熱熱交換器１４と、放熱熱交換器１４へ温水を供給・遮断させる熱動弁１５と、放熱熱交換器１４から放出される熱を温風として浴室内へ吹き出させる循環ファン１６と、放熱熱交換器１４へ供給される温水の温度を検知する入水温センサ１７と、室温ＴＨｒを検知する室温センサ１８と、浴室暖房乾燥機１全体の動作を制御する端末制御部１９とを備えている。端末制御部１９には、浴室暖房乾燥機１による浴室の暖房温度や暖房時間の設定、運転モードの切替等を指示するコントローラ３が電気配線を通じて接続されている。
【００１９】
放熱熱交換器１４は、ケーシング１０の通気路１００内に蛇行曲成された放熱管１４０を有し、放熱管１４０の一端は入水管路１４１を介して入水側接続部１１に接続され、他端は出水管路１４２を介して出水側接続部１２に接続されている。熱動弁１５は、入水管路１４１に設けられており、往き配管２１が入水側接続部１１に接続され、戻り配管２２が出水側接続部１２に接続された正常な接続状態において開放されると、熱源機２から供給される温水が往き配管２１から入水管路１４１へ導入されて放熱管１４０内へ送り込まれる。放熱管１４０内へ送り込まれた温水は、出水管路１４２を通って戻り配管２２へ送り込まれて熱源機２へ帰還する。循環ファン１６は、通気路１００の側壁相互間に回動可能な状態で軸支されており、その軸端に接続されたファンモータ１６０を作動させて回転させることで、浴室内の空気をケーシング１０の空気取込口１０１から通気路１００内へ導入し、放熱熱交換器１４で熱交換加熱して温風を吹出口１０２から浴室内へ吹き出すようにする。
【００２０】
入水温センサ１７は、入水管路１４１における熱動弁１５と放熱熱交換器１４との間に設けられており、循環配管２１，２２の正接続状態では熱動弁１５側から入水管路１４１内へ流れ込む温水の温度を湯温ＴＨｗとして検知する。一方、往き配管２１が出水側接続部１２に接続され、戻り配管２２が入水側接続部１１に接続された逆接続状態では放熱熱交換器１４側から入水管路１４１内へ流れ込む温水の温度を湯温ＴＨｗとして検知する。室温センサ１８は、通気路１００における放熱熱交換器１４の配設部より上流側に設けられており、循環ファン１６によって空気取込口１０１から通気路１００内へ導入される空気の温度を室温ＴＨｒとして検知する。
【００２１】
端末制御部１９は、熱動弁１５を開いて放熱熱交換器１４内へ温水を循環供給させ、循環ファン１６を回転制御する運転制御部や、循環配管２１，２２が逆接続状態になっているか否か判定する逆接続判定部などを有している。また、端末制御部１９は、熱源機２の熱源制御部２９との間で信号線Ｌを通じて相互通信により熱源機２の温調温度ＴＨｃや出湯温度ＴＨｓ等の熱源機情報を取得するように構成されている。なお、端末制御部１９は、熱源機２の温調温度ＴＨｃを取得するにあたって、熱源機２から温調温度ＴＨｃを直接取得してもよいし、熱源機情報に含む熱源機２の仕様から温調温度ＴＨｃを特定してもよい。さらに、端末制御部１９は、熱源機２との相互通信で温調温度ＴＨｃを取得することなく、端末制御部１９へ温調温度ＴＨｃを直接入力して取得させたり、熱源機２の仕様を入力することで温調温度ＴＨｃを特定させるようにしてもよい。
【００２２】
ここで、浴室暖房乾燥機１の設置工事やメンテナンスに際して循環配管２１，２２を接続することとなったとき、この温水利用システム５の試運転の際に、循環配管２１，２２が逆接続状態となっているか否か判定している。循環配管２１，２２の接続判定には、浴室暖房乾燥機１の入水管路１４１内の湯温（入水温センサ１７の検知温度）ＴＨｗに基づいて行うが、上述のとおり、熱源機２の温調動作により入水管路１４１内の湯温ＴＨｗが温度変化して循環配管２１，２２の接続状態を正しく判定できないおそれがある。本実施形態では、熱源機２の温調動作による温度変化の影響を考慮して循環配管２１，２２の接続判定精度を高めるようにしている。
【００２３】
以下に、循環配管２１，２２の接続判定処理動作を説明する。
図３のフローチャートを参照して、コントローラ３等からの指示で試運転を行うと循環配管２１，２２の接続判定処理の動作が開始し、まずは浴室暖房乾燥機１では熱動弁１５を開放する（Ｓ１）。一方、熱源機２では循環ポンプ２６を作動させるとともにバーナ２３を燃焼開始し、熱源機２で生成された温水が往き配管２１を通って浴室暖房乾燥機２の放熱熱交換器１４内へ送り込まれる。なお、熱源機２は、温水を供給するにあたって温調動作を行っている。
【００２４】
また、浴室暖房乾燥機１では、例えば、信号線Ｌを通じて熱源機２との相互通信より、熱源機２に設定されている熱源機情報（温調温度ＴＨｃ）を取得する（Ｓ２）。取得した温調温度ＴＨｃに基づいて循環配管２１，２２の逆接続状態を判定するための判定基準温度ＴＨを設定する（Ｓ３）。具体的には、温調温度ＴＨｃのうち下限温調温度ＴＨｏｎより低い温度を判定基準温度ＴＨとして設定する。例えば、出湯温度ＴＨｓが８０℃に設定され、温調温度ＴＨｃにおける上限温調温度ＴＨｏｆｆが９２℃、下限温調温度ＴＨｏｎが６８℃に設定されている場合、判定基準温度ＴＨを下限温調温度ＴＨｏｎより低い６５℃に設定する。また、出湯温度ＴＨｓが６０℃に設定され、温調温度ＴＨｃにおける上限温調温度ＴＨｏｆｆが７２℃、下限温調温度ＴＨｏｎが４８℃に設定されている場合、判定基準温度ＴＨを下限温調温度ＴＨｏｎより低い４６℃に設定する。
【００２５】
そして、浴室暖房乾燥機１の循環ファン１６を作動させると（Ｓ４）、接続判定時間ｔ（例えば、６０秒）の計測を開始して（Ｓ５）、入水温センサ１７で検知している入水管路１４１内の湯温ＴＨｗが判定基準温度ＴＨ以上の温度状態を一定時間ｔａ（例えば、１０秒）以上継続しているか否か判断する（Ｓ６）。一定時間ｔａ以上継続して入水管路１４１内の湯温ＴＨｗが判定基準温度ＴＨ以上の温度状態にある場合（Ｓ６で「ＹＥＳ」）は、循環配管２１，２２は正しく接続された正接続状態にあると判定する（Ｓ７）。このとき、浴室暖房乾燥機１のケーシング１０に設けたランプ１９１の青ランプを点灯し、循環配管２１，２２が正接続状態であることを報知する。そして、浴室暖房乾燥機１の熱動弁１５を閉じ循環ファン１６を停止し（Ｓ９）、熱源機２のバーナ２３を燃焼停止し循環ポンプ２６を停止して、循環配管接続判定処理を終了する。
【００２６】
一方、入水管路１４１内の湯温ＴＨｗが判定基準温度ＴＨ以上の温度状態を一定時間ｔａ以上継続することなく逆接続判定時間ｔを経過した場合（Ｓ６で「ＮＯ」、Ｓ５で「ＹＥＳ」）は、循環配管２１，２２は逆接続された状態にあると判定する（Ｓ８）。このとき、浴室暖房乾燥機２のケーシング１０に設けたランプ１９１の赤ランプを点灯し、循環配管２１，２２が逆接続状態であることを報知する。そして、浴室暖房乾燥機１の熱動弁１５を閉じ循環ファン１６を停止し（Ｓ９）、熱源機２のバーナ２３を燃焼停止し循環ポンプ２６を停止して、循環配管接続判定処理を終了する。
【００２７】
以上のように、判定基準温度ＴＨ（例えば、６５℃）が、熱源機２の温調温度ＴＨｃにおける下限温調温度ＴＨｏｎ（例えば、６８℃）よりも低い温度に設定されることで、循環配管２１，２２が正接続のとき、浴室暖房乾燥機１へ供給される温水が熱源機２の温調動作により低温状態（例えば、６８℃付近）にあった場合でも入水管路１４１内の湯温ＴＨｗが判定基準温度ＴＨよりも低い温度状態を継続することがない。よって、浴室暖房乾燥機１へ供給される温水が熱源機２の温調動作による温度変化の影響を受けても、循環配管２１，２２の正接続を逆接続と誤判定することが防止される。一方、循環配管２１，２２が逆接続のときは、熱源機２の温調動作により低温状態（例えば、６８℃付近）にある温水は、さらに放熱熱交換器１４内で放熱された後に入水管路１４１内を流れるため、入水管路１４１内の湯温ＴＨｗが判定基準温度ＴＨ（例えば、６５℃）よりも低い温度状態を継続することとなり、循環配管２１，２２の逆接続状態を正しく判定することができる。以上より、本実施形態によれば、熱源機２の温調動作による温度変化の影響を受け難くすることができるから、循環配管２１，２２の逆接続判定の精度が高められる。
【００２８】
（他の実施形態）
他の実施形態では、循環配管２１，２２の接続判定に際して室温（外気温）を考慮した接続判定処理動作を行う。図４のフローチャートに示すように、他の実施形態による接続判定処理動作において、浴室暖房乾燥機１の循環ファン１６を作動させるまでの動作（Ｓ２１〜Ｓ２４）は、図３に示す上記実施形態の動作（Ｓ１〜Ｓ４）と同様である。
【００２９】
そして、図４を参照して、浴室暖房乾燥機１の循環ファン１６を作動させてから一定時間ｔｂ（例えば、１０秒）が経過して浴室内の空気を十分攪拌させたときの室温センサ１８の検知温度を室温ＴＨｒとして取得する（Ｓ２５）。なお、このとき暖房の影響を受けない室温状態を検知するために、室温ＴＨｒを取得する一定時間ｔｂの間は熱動弁１５を閉じて浴室暖房乾燥機１から浴室内へ温風を吹き出さないようにしてもよい。
【００３０】
そして、取得した室温ＴＨｒと熱源機情報（温調温度ＴＨｃ）に基づいて循環配管２１，２２の逆接続状態を判定するための逆接続判定値ＴＨａを設定する（Ｓ２６）。ここで、逆接続判定値ＴＨａは、主には室温ＴＨｒによる温水の温度降下を考慮した温度幅の値であり、室温ＴＨｒが低い状態のときほど大きい幅値に設定する。また、逆接続判定値ＴＨａは、熱源機２に設定された温調温度ＴＨｃ（上限温調温度ＴＨｏｆｆ、下限温調温度ＴＨｏｎ）が相対的に高くなるに従って大きい幅値に設定する。例えば、熱源機２において出湯温度ＴＨｓが８０℃、温調温度ＴＨｃとして上限温調温度ＴＨｏｆｆが９２℃、下限温調温度ＴＨｏｎが６８℃の場合、逆接続判定値ＴＨａは、室温ＴＨｒが１５℃未満のとき１０℃、室温ＴＨｒが１５℃以上２５℃未満のとき７℃、室温ＴＨｒが２５℃以上のとき４℃に設定する。また、熱源機２において出湯温度ＴＨｓが６０℃、温調温度ＴＨｃとして上限温調温度ＴＨｏｆｆが７２℃、下限温調温度ＴＨｏｎが４８℃の場合、逆接続判定値ＴＨａは、室温ＴＨｒが１５℃未満のとき７℃、室温ＴＨｒが１５℃以上２５℃未満のとき５℃、室温ＴＨｒが２５℃以上のとき２℃に設定する。
【００３１】
そして、逆接続判定時間ｔ（例えば、６０秒）の計測を開始して（Ｓ２７）、入水温センサ１７で検知している入水管路１４１内の湯温ＴＨｗを監視し、入水管路１４１内の湯温ＴＨｗにおける上述の判定基準温度ＴＨからの温度低下幅が逆接続判定値ＴＨａ以上である場合（Ｓ２８で「ＹＥＳ」）は、循環配管２１，２２が逆接続された状態にあると判定する（Ｓ２９）。このとき、浴室暖房乾燥機１のケーシング１０に設けたランプ１９１の赤ランプを点灯し、循環配管２１，２２が逆接続状態であることを報知する。そして、浴室暖房乾燥機１の熱動弁１５を閉じ循環ファン１６を停止し（Ｓ３１）、熱源機２のバーナ２３を燃焼停止し循環ポンプ２６を停止して、循環配管接続判定処理を終了する。
【００３２】
一方、入水管路１４１内の湯温ＴＨｗにおいて判定基準温度ＴＨからの温度低下幅が逆接続判定値ＴＨａ以上にならずに逆接続判定時間ｔを経過した場合（Ｓ２８で「ＮＯ」、Ｓ２７で「ＹＥＳ」）は、循環配管２１，２２は正しく接続された正接続状態にあると判定する（Ｓ３０）。このとき、浴室暖房乾燥機１のケーシング１０に設けたランプ１９１の青ランプを点灯し、循環配管２１，２２が正接続状態であることを報知する。そして、浴室暖房乾燥機１の熱動弁１５を閉じ循環ファン１６を停止し（Ｓ３１）、熱源機２のバーナ２３を燃焼停止し循環ポンプ２６を停止して、循環配管接続判定処理を終了する。
【００３３】
以上より、他の実施形態では、室温ＴＨｒが低い場合でも、循環配管２１，２２の正接続のときは、判定基準温度ＴＨからの入水管路１４１内の湯温ＴＨｗの温度低下幅が逆接続判定値ＴＨａの範囲内となり、循環配管２１，２２の正接続を逆接続と誤判定することが防止される。一方、循環配管２１，２２の逆接続のときは、放熱熱交換器１４内で放熱された後に入水管路１４１内を流れるため、入水管路１４１内の湯温ＴＨｗが低く、判定基準温度ＴＨからの入水管路１４１内の湯温ＴＨｗの温度低下幅が大きくなって逆接続判定値ＴＨａ以上となる。従って、循環配管２１，２２の逆接続状態を正しく判定することができる。このように、他の実施形態によれば、さらに室温ＴＨｒが高いか低いかの環境状態の影響をも受け難くして循環配管２１，２２の逆接続判定の精度がさらに高められる。
【００３４】
なお、本発明は、以上の実施形態のみに限定されず、本発明の要旨の範囲内で種々の変更を施すことが可能である。
例えば、図３の実施形態と図４の他の実施形態を組み合わせた接続判定処理を行ってもよい。この場合、図３のステップＳ６において、入水管路１４１内の湯温ＴＨｗが判定基準温度ＴＨ以上の状態を一定時間ｔａ以上継続した場合（Ｓ６で「ＹＥＳ」）、次に、図４のステップＳ２７〜Ｓ２８の判定処理を行う。なお、この場合の接続判定処理において室温ＴＨｒの取得及び逆接続判定値ＴＨａの設定は、図４のＳ２５，Ｓ２６に示すように循環ファン１６の作動後に行う。これにより、循環配管２１，２２の接続判定を２段階（熱源機２の温調動作の影響、室温ＴＨｒの影響）で判定されるから、循環配管２１，２２の正接続を逆接続と誤判定することが確実に防止され、循環配管２１，２２の逆接続判定の精度が高められる。
【符号の説明】
【００３５】
１  浴室暖房乾燥機（温水端末機）
２  熱源機
５  温水利用システム
１１  入水側の循環配管接続部
１２  出水側の循環配管接続部
１４  放熱熱交換器（熱交換器）
１６  循環ファン
１７  入水温センサ
１９  端末制御部
２１  往き側の循環配管
２２  戻り側の循環配管
１４１  入水管路
１４２  出水管路
ＴＨ  判定基準温度
ＴＨａ  逆接続判定値
ＴＨｃ  温調温度
ＴＨｒ  室温（外気温）
ＴＨｗ  湯温
ＴＨｏｆｆ  上限温調温度
ＴＨｏｎ  下限温調温度
【図１】
0005956395.tif 000002
【図２】
0005956395.tif 000003
【図３】
0005956395.tif 000004
【図４】
0005956395.tif 000005